(57)【要約】  【課題】断熱風呂蓋は湿度の高い中で使うので真空断熱材の中に水が浸入し、真空度が下がり、断熱性能が劣化する問題がある。  【解決手段】ラミネートフィルム９で複数の芯材８を覆い、同一平面上の独立空間に芯材８を真空密封した真空断熱材６と、真空断熱材６を覆う防水性のカバー部材７とからなり、カバー部材７の芯材８間を覆っている個所が屈曲可能である断熱風呂蓋５であり、真空断熱材６が防水性のカバー部材７に覆われているので、真空断熱材６が水に触れることを低減でき、真空断熱材６の内部への水の侵入を低減することができる。それにより、真空度が低下しないので、断熱性能劣化を抑えることができ、長期間の断熱性能の維持が可能となる。【選択図】図２
2006149907.tif 000002
【特許請求の範囲】
【請求項１】
ラミネートフィルムで複数の芯材を覆い、同一平面上の独立空間に前記芯材を真空密封した真空断熱材と、前記真空断熱材を覆う防水性のカバー部材とからなり、前記カバー部材の前記芯材間を覆っている個所が屈曲可能である断熱風呂蓋。
【請求項２】
ラミネートフィルムで複数の芯材を覆い、同一平面上の独立空間に前記芯材を真空密封した真空断熱材と、前記真空断熱材を密封する防水性のカバー部材とからなり、前記カバー部材の前記芯材間を覆っている個所が屈曲可能である断熱風呂蓋。
【請求項３】
カバー部材が耐透湿性の部材からなる請求項１または請求項２に記載の断熱風呂蓋。
【請求項４】
カバー部材が低ガス透過性の部材からなる請求項１から請求項３のいずれか一項に記載の断熱風呂蓋。
【請求項５】
カバー部材に撥水処理を施した請求項１から請求項４のいずれか一項に記載の断熱風呂蓋。
【請求項６】
真空断熱材とカバー部材の間に吸着剤を入れた請求項１から請求項５のいずれか一項に記載の断熱風呂蓋。
【請求項７】
耐透湿性のあるラミネートフィルムで構成した請求項１から請求項６のいずれか一項に記載の断熱風呂蓋。
【請求項８】
真空断熱材とカバー部材との間に、少なくとも芯材間を埋めるように屈曲可能な断熱材を配置した請求項１から請求項７のいずれか一項に記載の断熱風呂蓋。
【請求項９】
真空断熱材とカバー部材との間に、ラミネートフィルムの芯材を覆う個所を覆うように耐透湿性の断熱材を配置した請求項１から請求項８のいずれか一項に記載の断熱風呂蓋。
【請求項１０】
真空断熱材の各芯材が配置された個所とカバー部材との間の空間が各々独立空間になるようにカバー部材を配置した請求項１から請求項９のいずれか一項に記載の断熱風呂蓋。
【請求項１１】
芯材の片面とラミネートフィルムの片面が同一平面上にある請求項１から請求項１０のいずれか一項に記載の断熱風呂蓋。
【発明の詳細な説明】
【技術分野】
【０００１】
本発明は、浴槽の開口上部を塞ぐ風呂蓋に真空断熱材を適用した断熱風呂蓋に関するものである。
【背景技術】
【０００２】
従来の断熱材を適用した風呂蓋として、発泡体の断熱材を適用したものがある。（例えば、特許文献１参照）また、高断熱性能な断熱材として真空断熱材というものがある。真空断熱材とは、ラミネートフィルムで芯材を覆い真空密封したものであり、芯材内部を真空状態にすることにより、気体による熱伝導率を下げ、低熱伝導率を実現したものである。
【０００３】
図７は、特許文献１に記載された従来の浴槽の概略図である。
【０００４】
構成は、図７に示すように、浴槽１の開口上部を塞ぐ風呂蓋２が、独立気泡を有する発泡体で構成された複数枚の断熱材３を、折曲可能な部材４で接続してなるものである。
【０００５】
以上のように構成された風呂蓋について、以下その作用を説明する。
【０００６】
独立気泡を有する発泡体で構成された上蓋は、浴槽１開口上部を塞いで配置されており、浴槽1内空気層から外部への熱の移動を防ぐ。
【特許文献１】実公平５−２１７８８号公報
【発明の開示】
【発明が解決しようとする課題】
【０００７】
発泡系断熱材を真空断熱材に変えることにより断熱性能は上がるが、以下の問題が生じる。一つ目として、断熱風呂蓋は湿度の高い中で使うので真空断熱材の中に水が浸入し、真空度が下がり、断熱性能が劣化すること。二つ目として、真空断熱材が複数枚必要になり、コストがかかることである。
【０００８】
本発明は、上記従来の課題を解決するもので、高断熱性能の真空断熱材を用い、コストを抑え、断熱性能の劣化を抑えた、断熱効果が高い断熱風呂蓋を提供するものである。
【課題を解決するための手段】
【０００９】
上記目的を達成するために、本発明の断熱風呂蓋は、ラミネートフィルムで複数の芯材を覆い、同一平面上の独立空間に前記芯材を真空密封した真空断熱材と、前記真空断熱材を覆う防水性のカバー部材とからなり、前記カバー部材の前記芯材間を覆っている個所が屈曲可能となったものである。
【００１０】
これにより、高断熱性能の真空断熱材を用い、コストを抑え、断熱性能の劣化を抑えた、断熱効果が高い断熱風呂蓋を提供できる。
【発明の効果】
【００１１】
真空断熱材が防水性のカバー部材に覆われているので、真空断熱材が水に触れることを低減でき、真空断熱材の内部への水の侵入を低減することができる。それにより、真空度が低下しないので、断熱性能の劣化を抑えることができ、長期間の断熱性能の維持が可能となる。
【００１２】
また、単一芯材からなる真空断熱材を複数枚使うことに比べ、真空断熱材を作製する工数が下がるので、コスト削減になる。
【発明を実施するための最良の形態】
【００１３】
請求項１に記載の発明は、ラミネートフィルムで複数の芯材を覆い、同一平面上の独立空間に前記芯材を真空密封した真空断熱材と、前記真空断熱材を覆う防水性のカバー部材とからなり、前記カバー部材の前記芯材間を覆っている個所が屈曲可能である断熱風呂蓋であり、真空断熱材が防水性のカバー部材に覆われているので、真空断熱材が水に触れることを低減でき、真空断熱材の内部への水の侵入を低減することができる。それにより、真空度が低下しないので、断熱性能劣化を抑えることができ、長期間の断熱性能の維持が可能となる。
【００１４】
真空断熱材が複数の芯材からなり、同一平面上の独立空間に芯材を配置しているので、芯材が配置されていない個所で折り曲げることができる。また、カバー部材も芯材が配置されていない個所で折り曲げることができる。それにより、断熱風呂蓋を折り曲げることが可能となり、折りたたむことや、巻くことが可能となるので、収納性が向上する。
【００１５】
また、単一芯材からなる真空断熱材を複数枚使うことに比べ、真空断熱材を作製する工数が下がるので、コスト削減になる。
【００１６】
請求項２に記載の発明は、ラミネートフィルムで複数の芯材を覆い、同一平面上の独立空間に前記芯材を真空密封した真空断熱材と、前記真空断熱材を密封する防水性のカバー部材とからなり、前記カバー部材の前記芯材間を覆っている個所が屈曲可能である断熱風呂蓋であり、真空断熱材が防水性のカバー部材に密封されているので、真空断熱材がカバー部材外部の水や空気に触れることを低減でき、真空断熱材の内部への水の侵入を低減することができる。それにより、真空度が低下しないので、断熱性能劣化を抑えることができ、長期間の断熱性能の維持が可能となる。
【００１７】
真空断熱材が複数の芯材からなり、同一平面上の独立空間に芯材を配置しているので、芯材が配置されていない個所で折り曲げることができる。また、カバー部材も芯材が配置されていない個所で折り曲げることができる。それにより、断熱風呂蓋を折り曲げることが可能となり、折りたたむことや、巻くことが可能となるので、収納性が向上する。
【００１８】
また、単一芯材からなる真空断熱材を複数枚使うことに比べ、真空断熱材を作製する工数が下がるので、コスト削減になる。
【００１９】
請求項３に記載の発明は、カバー部材が耐透湿性の部材からなる請求項１または請求項２に記載の断熱風呂蓋であり、真空断熱材とカバー部材の間に水蒸気が侵入するのを低減することができる。それにより、真空断熱材が水に触れることを低減でき、真空断熱材の内部への水の侵入を低減することができる。以上のことから、真空断熱材の真空度が低下しないので、断熱性能劣化を抑えることができ、長期間の断熱性能の維持が可能となる。
【００２０】
請求項４に記載の発明は、カバー部材が低ガス透過性の部材からなる請求項１から請求項３のいずれか一項に記載の断熱風呂蓋であり、真空断熱材とカバー部材の間に空気が侵入するのを低減することができる。それにより、真空断熱材の内部への空気の侵入を低減することができ、真空度が低下しないので、断熱性能劣化を抑えることができ、長期間の断熱性能の維持が可能となる。
【００２１】
請求項５に記載の発明は、カバー部材に撥水処理を施した請求項１から請求項４のいずれか一項に記載の断熱風呂蓋であり、真空断熱材とカバー部材の間に水蒸気が侵入するのを低減することができる。それにより、真空断熱材が水に触れることを低減でき、真空断熱材の内部への水の侵入を低減することができる。以上のことから、真空断熱材の真空度が低下しないので、断熱性能劣化を抑えることができ、長期間の断熱性能の維持が可能となる。
【００２２】
請求項６に記載の発明は、真空断熱材とカバー部材の間に吸着剤を入れた請求項１から請求項５のいずれか一項に記載の断熱風呂蓋であり、真空断熱材とカバー部材の間に入ってきた水や空気を吸着することにより、真空断熱材が水や空気に触れることを低減でき、真空断熱材の内部への水や空気の侵入を低減することができる。それにより、真空度が低下しないので、断熱性能劣化を抑えることができ、長期間の断熱性能の維持が可能となる。
【００２３】
請求項７に記載の発明は、耐透湿性のあるラミネートフィルムで構成した請求項１から請求項６のいずれか一項に記載の断熱風呂蓋であり、真空断熱材の内部への水や空気の侵入を低減することができる。それにより、真空度が低下しないので、断熱性能劣化を抑えることができ、長期間の断熱性能の維持が可能となる。
【００２４】
請求項８に記載の発明は、真空断熱材とカバー部材との間に、少なくとも芯材間を埋めるように屈曲可能な断熱材を配置した請求項１から請求項７のいずれか一項に記載の断熱風呂蓋であり、芯材が配置されておらず断熱性能の低い部分が高くなり、断熱風呂蓋全体の断熱性能が向上する。
【００２５】
請求項９に記載の発明は、真空断熱材とカバー部材との間に、ラミネートフィルムの芯材を覆う個所を覆うように耐透湿性の断熱材を配置した請求項１から請求項８のいずれか一項に記載の断熱風呂蓋であり、真空断熱材の芯材が配置された個所のラミネートフィルムに水蒸気が触れるのを低減できるので、真空断熱材の内部への水の侵入を低減することができる。それにより、真空度が低下しないので、断熱性能劣化を抑えることができ、長期間の断熱性能の維持が可能となる。
【００２６】
請求項１０に記載の発明は、真空断熱材の各芯材が配置された個所とカバー部材との間の空間が各々独立空間になるようにカバー部材を配置した請求項１から請求項９のいずれか一項に記載の断熱風呂蓋であり、一つのカバー部材が壊れてカバー部材と真空断熱材の間に水が侵入し、真空断熱材の一つの芯材が配置された個所のラミネートフィルムが水に濡れてしまっても、他の芯材が配置された個所のラミネートフィルムが水に濡れることがなく、断熱風呂蓋全体の断熱性能の劣化を抑えることができる。
【００２７】
請求項１１に記載の発明は、芯材の片面とラミネートフィルムの片面が同一平面上にある請求項１から請求項１０のいずれか一項に記載の断熱風呂蓋であり、真空断熱材の片面が平らに形成されるので、断熱風呂蓋の片面を平らに形成し易くなり、浴槽に密着して使用できる。それによって、浴槽から逃げる暖気を閉じ込めやすくなり、保温効果が向上する。
【００２８】
以下、本発明の実施の形態について、図面を参照しながら説明する。
【００２９】
（実施の形態１）
図１は、本発明の実施の形態１における断熱風呂蓋の斜視図である。図２は、本発明の実施の形態１における図１の断熱風呂蓋の破線ａ−ａにおける断面図である。
【００３０】
構成として、図１、図２のように、断熱風呂蓋５は、真空断熱材６と、真空断熱材６を覆う防水性のカバー部材７とからなり、真空断熱材６は、複数の芯材８と、複数の芯材８を覆うラミネートフィルム９とからなる。複数の芯材８は、ラミネートフィルム９内の同一平面上の独立空間に真空密封されてある。また、芯材８の片面とラミネートフィルム９の片面は同一平面上にある。また、各芯材８間での空気や水の移動を低減するように、各芯材８の間を溶着してもよい。防水性のカバー部材７とは、樹脂や金属、または水を通さないように表面処理を施したものである。
【００３１】
以上のように、本実施の形態においては、ラミネートフィルム９で複数の芯材８を覆い、同一平面上の独立空間に前記芯材８を真空密封した真空断熱材６と、前記真空断熱材６を覆う防水性のカバー部材７とからなり、前記カバー部材７の前記芯材８間を覆っている個所が屈曲可能であり、真空断熱材６が防水性のカバー部材７に覆われているので、真空断熱材６が水に触れることを低減でき、真空断熱材６の内部への水の侵入を低減することができる。それにより、真空度が低下しないので、断熱性能の劣化を抑えることができ、長期間の断熱性能の維持が可能となる。
【００３２】
真空断熱材６が複数の芯材８からなり、同一平面上の独立空間に芯材８を配置しているので、芯材８が配置されていない個所で折り曲げることができる。また、カバー部材７も芯材８が配置されていない個所で折り曲げることができる。それにより、風呂蓋を折り曲げることが可能となり、折りたたむことや、巻くことが可能となるので、収納性が向上する。
【００３３】
複数の芯材８が独立空間に配置され、各芯材８の間が溶着され分断されている真空断熱材６なので、一部の芯材８空間に水や空気が入り、真空度が低下しても、他の芯材８空間の真空度が低下することがない。それにより、真空断熱材６の一部の個所での断熱性能劣化で抑えられ、真空断熱材６全体としての断熱性能の低下を抑えることができる。
【００３４】
また、単一芯材８からなる真空断熱材６を複数枚揃えることに比べて、真空断熱材６を作製する工数が下がるので、コスト削減になる。
【００３５】
また、芯材８の片面とラミネートフィルム９の片面が同一平面上にあり、真空断熱材６の片面が平らに形成されるので、断熱風呂蓋５の片面を平らに形成し易くなり、浴槽に密着して使用できる。それによって、浴槽から逃げる暖気を閉じ込めやすくなり、保温効果が向上する。
【００３６】
（実施の形態２）
図３は、本発明の実施の形態２における断熱風呂蓋の断面図である。
【００３７】
構成として、本実施の断熱風呂蓋５は、実施の形態１の真空断熱材６とカバー部材７の間に吸着剤１０を入れたものであり、真空断熱材６がカバー部材７により密封されている。
【００３８】
また、カバー部材７が耐透湿性や低ガス透過性に優れる部材でもよい。例えば、耐透湿性に優れた部材として、天然ゴム、フッ素系樹脂、スチレン系樹脂、エチレン系樹脂等が挙げられる。また、低ガス透過性に優れた部材として、ポリビニルアルコール、ポリアクリロニトリル、エチレン−ビニルアルコール樹脂（ＥＶＯＨ）、セルロース、ポリ塩化ビニリデン、ポリアミドなどを含む部材が挙げられる。
【００３９】
また、カバー部材７に撥水処理をすると望ましい。撥水処理として、フッ素樹脂などを用いるとよい。
【００４０】
また、耐透湿性のラミネートフィルム９であってもよい。例えば、ラミネートフィルム９の１層として、金属箔を入れるとよく、アルミニウム、ステンレス、チタン、銅などが挙げられる。また、ポリビニリデンクロライド、エチレン−ビニルアルコール樹脂（ＥＶＯＨ）、ポリエチレンテレフタレート、ポリエチレンなどを層としていれてもよい。
【００４１】
以上のように、本実施の形態においては、実施の形態１の断熱風呂蓋５の真空断熱材６とカバー部材７の間に吸着剤１０を入れたものであり、真空断熱材６がカバー部材７により密封したものである。よって、実施の形態１の効果に加え、真空断熱材６がカバー部材７に密封されているので、真空断熱材６がカバー部材７外部の水や空気に触れることを低減でき、真空断熱材６の内部への水や空気の侵入を低減することができる。それにより、真空度が低下しないので、断熱性能の劣化を抑えることができ、長期間の断熱性能の維持が可能となる。
【００４２】
また、複数の芯材８が独立空間に配置され、各芯材８の間が溶着され分断されている真空断熱材６なので、一部の芯材８空間に水や空気が入り、真空度が低下して断熱性能が劣化しても、他の芯材８空間に影響を与えることがない。それにより、真空断熱材６全体としての断熱性能の低下を抑えることができる。
【００４３】
また、真空断熱材６とカバー部材７の間に吸着剤１０があるので、真空断熱材６とカバー部材７の間に入ってきた水や空気を吸着することができる。それにより、真空断熱材６が水や空気に触れることを低減でき、真空断熱材６の内部への水や空気の侵入を低減することができる。以上のことから、真空断熱材６の真空度が低下しないので、断熱性能劣化を抑えることができ、長期間の断熱性能の維持が可能となる。図３では、吸着材１０を入れるスペースのために芯材８を薄くしているが、カバー部材７の方に吸着剤１０埋め込むようにして、芯材８を厚くしてもよい。
【００４４】
また、カバー部材７が耐透湿性の部材からなることにより、真空断熱材６とカバー部材７の間に水蒸気が侵入するのを低減することができる。それにより、真空断熱材６が水に触れることを低減でき、真空断熱材６の内部への水の侵入を低減することができる。以上のことから、真空断熱材６真空度が低下しないので、断熱性能劣化を抑えることができ、長期間の断熱性能の維持が可能となる。
【００４５】
また、カバー部材７が低ガス透過性の部材からなることにより、真空断熱材６とカバー部材７の間に空気が侵入するのを低減することができる。それにより、真空断熱材６の内部への空気の侵入を低減することができる。以上のことから、真空断熱材６の真空度が低下しないので、断熱性能劣化を抑えることができ、長期間の断熱性能の維持が可能となる。
【００４６】
また、カバー部材７に撥水処理を施すことにより、真空断熱材６とカバー部材７の間に水蒸気が侵入するのを低減することができる。それにより、真空断熱材６が水に触れることを低減でき、真空断熱材６の内部への水の侵入を低減することができる。以上のことから、真空断熱材６の真空度が低下しないので、断熱性能劣化を抑えることができ、長期間の断熱性能の維持が可能となる。
【００４７】
（実施の形態３）
図４は、本発明の実施の形態３における断熱風呂蓋の断面図である。
【００４８】
構成として、本実施の形態の断熱風呂蓋５は、実施の形態２の断熱風呂蓋５の一部を変更したものであり、真空断熱材６とカバー部材７の間に芯材８間を埋めるように屈曲可能な断熱材、例えばグラスウール１１を入れたものである。
【００４９】
以上のように、本実施の形態においては、実施の形態２の効果に加え、真空断熱材６とカバー部材７との間に、少なくとも芯材８間を埋めるように屈曲可能な断熱材を配置したので、芯材８が配置されておらず断熱性能の低い部分の断熱性能が高くなり、断熱風呂蓋５全体の断熱性能が向上する。それによって、浴槽内の空気から断熱風呂蓋５を通して外気に逃げる熱を低減することができ、保温効果が向上する。
【００５０】
（実施の形態４）
図５は、本発明の実施の形態４における断熱風呂蓋の断面図である。
【００５１】
構成として、本実施の形態の断熱風呂蓋５は、実施の形態２の断熱風呂蓋５の一部を変更したものであり、真空断熱材６とカバー部材７との間に、ラミネートフィルム９の芯材８を覆う個所を覆うように耐透湿性の断熱材を配置したものである。耐透湿性の断熱材として、発泡プラスチック系の断熱材が挙げられ、ポリスチレンフォーム、押出発泡ポリスチレン、ウレタンフォーム等の断熱材が挙げられ、本実施の形態ではウレタンフォーム１２を用いた。
【００５２】
以上のように、本実施の形態においては、実施の形態２の効果に加え、真空断熱材６の芯材８にあたる個所を耐透湿性の断熱材で覆ったので、真空断熱材６の芯材８が配置されたラミネートフィルム９に水蒸気が触れるのを低減でき、真空断熱材６の内部への水の侵入を低減することができる。それにより、真空度が低下しないので、断熱性能劣化を抑えることができ、長期間の断熱性能の維持が可能となる。また、ウレタンフォーム１２で覆っていることにより断熱性能が高くなり、断熱風呂蓋５全体の断熱性能が向上する。それによって、浴槽内の空気から断熱風呂蓋５を通して外気に逃げる熱を低減することができ、保温効果が向上する。
【００５３】
（実施の形態５）
図６は、本発明の実施の形態５における断熱風呂蓋の断面図である。
【００５４】
構成として、本実施の形態の断熱風呂蓋５は、実施の形態２の断熱風呂蓋５の一部を変更したものであり、真空断熱材６の各芯材８が配置された個所とカバー部材７との間の空間が各々独立空間になるようにカバー部材７を配置したものである。
【００５５】
以上のように、本実施の形態においては、実施の形態２の効果に加え、真空断熱材６の各芯材８が配置された個所とカバー部材７との間の空間が各々独立空間になるようにカバー部材７を配置したので、一つのカバー部材７が壊れてカバー部材７と真空断熱材６の間に水が侵入し、真空断熱材６の一つの芯材８が配置された個所のラミネートフィルム９が水に濡れてしまっても、他の芯材８が配置された個所のラミネートフィルムが水に濡れることがないので、断熱風呂蓋５全体の断熱性能の劣化を抑えることができる。
【産業上の利用可能性】
【００５６】
以上のように、本発明による真空断熱材を適用した断熱風呂蓋の構造は、断熱が必要な容器の蓋として転用することができる。例えば、鍋の蓋、保温容器等の蓋である。
【図面の簡単な説明】
【００５７】
【図１】本発明の実施の形態１における断熱風呂蓋の斜視図
【図２】本発明の実施の形態１における断熱風呂蓋の破線ａ−ａの断面図
【図３】本発明の実施の形態２における断熱風呂蓋の概略図
【図４】本発明の実施の形態３における断熱風呂蓋の断面図
【図５】本発明の実施の形態４における断熱風呂蓋の断面図
【図６】本発明の実施の形態５における断熱風呂蓋の断面図
【図７】従来の浴槽の概略図
【符号の説明】
【００５８】
５      断熱風呂蓋
６      真空断熱材
７      カバー部材
８      芯材
９      ラミネートフィルム
１０    吸着剤
１１    グラスウール
１２    ウレタンフォーム
【図１】
2006149907.tif 000003
【図２】
2006149907.tif 000004
【図３】
2006149907.tif 000005
【図４】
2006149907.tif 000006
【図５】
2006149907.tif 000007
【図６】
2006149907.tif 000008
【図７】
2006149907.tif 000009